【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信の方法であって、
ビーム状態情報(BSI)を要求するメッセージを基地局から受信するステップであって、前記メッセージがBSI報告の数Nを示す、ステップと、
ビームのセットを通じて信号のセットを前記基地局から受信するステップと、
前記ビームのセットを通じて受信される前記信号のセットの1つまたは複数の信号に対する受信電力を決定するステップであって、各受信電力が前記ビームのセットのうちのあるビームと関連付けられる、ステップと、
前記メッセージに基づいて前記基地局に送信すべき前記BSI報告の数Nを決定するステップであって、前記数Nが0以上であると決定される、ステップと、
前記基地局に送信すべきと決定された前記BSI報告の数Nに基づいてN個のBSI報告を前記基地局に送信するステップであって、前記N個のBSI報告のそれぞれが、前記ビームのセットのうちのあるビームに対応するビームインデックスと、前記ビームと関連付けられる受信電力とを示す、ステップと
を備える、方法。
【請求項２】
前記N個のBSI報告が、最高の決定された受信電力のセットに対応するN個の受信電力を含む、請求項1に記載の方法。
【請求項３】
前記基地局に送信すべき前記BSI報告の数Nの前記決定が、前記BSIを要求する前記メッセージのタイプに基づく、請求項1に記載の方法。
【請求項４】
前記BSIを要求する前記メッセージが、ダウンリンク制御情報(DCI)メッセージを備える、請求項1に記載の方法。
【請求項５】
前記基地局に送信すべき前記BSI報告の数Nが、前記DCIメッセージに基づいて1となるように決定される、請求項4に記載の方法。
【請求項６】
前記BSI報告の決定された数Nが、物理アップリンク制御チャネル(PUCCH)上で送信される、請求項4に記載の方法。
【請求項７】
前記BSIを要求する前記メッセージのタイプが、ランダムアクセス応答(RAR)メッセージを備える、請求項3に記載の方法。
【請求項８】
前記BSI報告の数Nが、前記RARメッセージに基づいて1より大きくなるように決定される、請求項7に記載の方法。
【請求項９】
前記BSI報告の決定された数Nが、物理アップリンク共有チャネル(PUSCH)上で送信される、請求項1に記載の方法。
【請求項１０】
前記基地局に送信すべき前記BSI報告の数Nが0に等しいとき、0個のBSI報告を前記基地局に送信するステップをさらに含む、請求項1に記載の方法。
【請求項１１】
ワイヤレス通信のための装置であって、
ビーム状態情報(BSI)を要求するメッセージを基地局から受信するための手段であって、前記メッセージがBSI報告の数Nを示す、手段と、
ビームのセットを通じて信号のセットを前記基地局から受信するための手段と、
前記ビームのセットを通じて受信される前記信号のセットの1つまたは複数の信号に対する受信電力を決定するための手段であって、各受信電力が前記ビームのセットのうちのあるビームと関連付けられる、手段と、
前記メッセージに基づいて前記基地局に送信すべき前記BSI報告の数Nを決定するための手段であって、前記数Nが0以上であると決定される、手段と、
前記基地局に送信すべきと決定された前記BSI報告の数Nに基づいてN個のBSI報告を前記基地局に送信するための手段であって、前記N個のBSI報告のそれぞれが、前記ビームのセットのうちのあるビームに対応するビームインデックスと、前記ビームと関連付けられる受信電力とを示す、手段と
を備える、装置。
【請求項１２】
前記N個のBSI報告が、最高の決定された受信電力のセットに対応するN個の受信電力を含む、請求項11に記載の装置。
【請求項１３】
前記基地局に送信すべき前記BSI報告の数Nの前記決定が、前記BSIを要求する前記メッセージのタイプに基づく、請求項11に記載の装置。
【請求項１４】
前記BSIを要求する前記メッセージが、ダウンリンク制御情報(DCI)メッセージを備える、請求項11に記載の装置。
【請求項１５】
前記基地局に送信すべき前記BSI報告の数Nが、前記DCIメッセージに基づいて1となるように決定される、請求項14に記載の装置。
【請求項１６】
前記BSI報告の決定された数Nが、物理アップリンク制御チャネル(PUCCH)上で送信される、請求項14に記載の装置。
【請求項１７】
前記BSIを要求する前記メッセージのタイプが、ランダムアクセス応答(RAR)メッセージを備える、請求項13に記載の装置。
【請求項１８】
前記BSI報告の数Nが、前記RARメッセージに基づいて1より大きくなるように決定される、請求項17に記載の装置。
【請求項１９】
前記BSI報告の決定された数Nが、物理アップリンク共有チャネル(PUSCH)上で送信される、請求項11に記載の装置。
【請求項２０】
前記N個のBSI報告を前記基地局に前記送信するための手段が、前記基地局に送信すべき前記BSI報告の数Nが0に等しいとき、0個のBSI報告を前記基地局に送信するように構成される、請求項11に記載の装置。
【請求項２１】
ワイヤレス通信のための装置であって、
メモリと、
前記メモリに結合される少なくとも1つのプロセッサであって、
ビーム状態情報(BSI)を要求するメッセージを基地局から受信することであって、前記メッセージがBSI報告の数Nを示す、受信することと、
ビームのセットを通じて信号のセットを前記基地局から受信することと、
前記ビームのセットを通じて受信される前記信号のセットの1つまたは複数の信号に対する受信電力を決定することであって、各受信電力が前記ビームのセットのうちのあるビームと関連付けられる、決定することと、
前記メッセージに基づいて前記基地局に送信すべき前記BSI報告の数Nを決定することであって、前記数Nが0以上であると決定される、受信することと、
前記基地局に送信すべきと決定された前記BSI報告の数Nに基づいてN個のBSI報告を前記基地局に送信することであって、前記N個のBSI報告のそれぞれが、前記ビームのセットのうちのあるビームに対応するビームインデックスと、前記ビームと関連付けられる受信電力とを示す、送信することと
を行うように構成される、プロセッサと
を備える、装置。
【請求項２２】
前記N個のBSI報告が、最高の決定された受信電力のセットに対応するN個の受信電力を含む、請求項21に記載の装置。
【請求項２３】
前記基地局に送信すべき前記BSI報告の数Nの前記決定が、前記BSIを要求する前記メッセージのタイプに基づく、請求項21に記載の装置。
【請求項２４】
前記BSIを要求する前記メッセージが、ダウンリンク制御情報(DCI)メッセージを備える、請求項21に記載の装置。
【請求項２５】
前記基地局に送信すべき前記BSI報告の数Nが、前記DCIメッセージに基づいて1となるように決定される、請求項24に記載の装置。
【請求項２６】
前記BSI報告の決定された数Nが、物理アップリンク制御チャネル(PUCCH)上で送信される、請求項24に記載の装置。
【請求項２７】
前記BSIを要求する前記メッセージのタイプが、ランダムアクセス応答(RAR)メッセージを備える、請求項23に記載の装置。
【請求項２８】
前記BSI報告の数Nが、前記RARメッセージに基づいて1より大きくなるように決定される、請求項27に記載の装置。
【請求項２９】
前記少なくとも1つのプロセッサが、前記基地局に送信すべき前記BSI報告の数Nが0に等しいとき、0個のBSI報告を前記基地局に送信するようにさらに構成される、請求項21に記載の装置。
【請求項３０】
ユーザ機器(UE)によるワイヤレス通信のためのコンピュータ実行可能コードを記憶したコンピュータ可読記録媒体であって、
0以上である基地局に送信すべきBSI報告の数Nを示すメッセージを前記基地局から受信することと、
前記メッセージに基づいて前記基地局に送信すべき前記BSI報告の数Nを決定することであって、前記数Nが0以上であると決定される、決定することと、
前記数Nが0以上であると決定されたとき、前記基地局に送信すべきと決定された前記BSI報告の数Nに基づいてN個のBSI報告を前記基地局に送信することであって、前記N個のBSI報告のそれぞれが、ビームのセットのうちのあるビームに対応するビームインデックスと、前記ビームと関連付けられる受信電力とを示し、前記受信電力が、前記ビームのセットを通じて前記基地局から受信される1つまたは複数の信号に基づいて決定される、送信することと、
前記基地局に送信すべき前記BSI報告の数Nが0に等しいとき、0個のBSI報告を前記基地局に送信することと
を行うためのコードを備える、コンピュータ可読記録媒体。